(57)【要約】【課題】  フォーカスサーチした際に容易に光ディスクの種類を判定することができる光ディスク装置及び光ディスク判定方法を提供する。【解決手段】  光ディスクにレーザ光を照射する照射部（１５，１６，１７）と、照射部から発せられ、前記光ディスクの情報記録層に集光されたレーザ光の前記光ディスクからの反射光を受光して検出信号を出力する検出部（２５）と、照射部及び検出部でフォーカスサーチを行い、検出信号に基づいて光ディスクを３層光ディスクであると判定する判定部（３１）をもつ光ディスク装置。【選択図】図１
2009059401.tif 000002
【特許請求の範囲】
【請求項１】
光ディスクにレーザ光を照射する照射部と、
前記照射部から発せられ、前記光ディスクの情報記録層に集光されたレーザ光の前記光ディスクからの反射光を受光して検出信号を出力する検出部と、
前記光ディスクに対してフォーカスサーチを行い、フォーカスサーチの結果得られる前記検出信号に基づいて前記光ディスクを３層光ディスクであると判定する判定部と、
を具備することを特徴とする光ディスク装置。
【請求項２】
前記判定部は、前記レーザ光の集光部が前記光ディスクの層を横切ったときに前記検出部が検出したフォーカスエラー信号又はフォーカス和信号をカウントすることで前記光ディスクを３層光ディスクであると判定することを特徴とする請求項１記載の光ディスク装置。
【請求項３】
前記判定部は、前記光ディスクを３層光ディスクであると判定した後は、最下層にフォーカスオンし、前記検出部の検出信号であるトラッキングエラー信号に基づいて、前記３層光ディスクが、トリプルツインディスクかＨＤ ＤＶＤ３層かを判断することを特徴とする請求項１記載の光ディスク装置。
【請求項４】
前記判定部は、前記光ディスクを３層光ディスクであると判定した後は、上層からフォーカスオンし、前記光ディスクのコントロールデータを読むことで、前記３層光ディスクが、トリプルツインディスクかＨＤ ＤＶＤ３層かを判断することを特徴とする請求項１記載の光ディスク装置。
【請求項５】
前記判定部は、前記光ディスクにおける前記照射部の前記レーザ光のフォーカス位置がどこであるかに基づいて、前記光ディスクがＣＤであるかどうかを判定することを特徴とする請求項１記載の光ディスク装置。
【請求項６】
前記判定部は、前記光ディスクが３層光ディスクでないと判定した後は、前記検出部の検出信号であるトラッキングエラー信号の振幅に基づいて、前記光ディスクがＨＤ ＤＶＤかＤＶＤであるかを判定することを特徴とする請求項１記載の光ディスク装置。
【請求項７】
光ディスクにレーザ光を照射し、
前記レーザ光で光ディスクにフォーカスサーチを行い、
前記レーザ光の反射光を受光して検出信号を出力し、
前記検出信号に基づいて、前記光ディスクを３層光ディスクであると判定する光ディスク判定方法。
【請求項８】
前記検出信号であるフォーカスエラー信号又はフォーカス和信号が層を横切った回数をカウントすることで前記光ディスクを３層光ディスクであると判定することを特徴とする請求項７記載の光ディスク判定方法。
【発明の詳細な説明】
【技術分野】
【０００１】
この発明は、フォーカスサーチを行なった際のフォーカスエラー信号やフォーカス和信号から３層光ディスクを検出する光ディスク装置及び光ディスク判定方法に関する。
【背景技術】
【０００２】
最近、光ディスクが非常に普及してきており、その種類も非常に多岐に渡っている。光ディスク装置では、光ディスクの管理情報を読み取ることで、光ディスクの種類を判定したり、更に他の方法で判定することが知られている。
【０００３】
特許文献１は、光ディスクにレーザ光を照射して、この反射率の違いを用いてＣＤ−ＲＯＭ／Ｒ／ＲＷの判別を行う技術が開示されている。
【特許文献１】特開２００１−３０７４１６号公報
【発明の開示】
【発明が解決しようとする課題】
【０００４】
しかし、特許文献１の従来技術では、この技術をＨＤ ＤＶＤ（High Definition Digital Versatile Disc）に適用しても低反射光ディスクであることはわかるが、何層光ディスクであるか判別できない。つまり、ＨＤ多層光ディスクにおいて、反射率の違いだけでは光ディスクを限定することができない。
【０００５】
本発明は、フォーカスサーチした際に容易に光ディスクの種類を判定することができる光ディスク装置及び光ディスク判定方法を提供することを目的とする。
【課題を解決するための手段】
【０００６】
課題を解決するための一実施形態は、
光ディスクにレーザ光を照射する照射部（１５，１６，１７）と、
前記照射部からのレーザ光の反射光を受光して検出信号を出力する検出部（２５）と、
前記照射部及び前記検出部でフォーカスサーチを行い、前記検出信号に基づいて前記光ディスクを３層光ディスクであると判定する判定部（３１）と、
を具備することを特徴とする光ディスク装置である。
【発明の効果】
【０００７】
フォーカスサーチした際に各層をフォーカス点が通過したときに変化するフォーカスエラー信号やフォーカス和信号が層を横切った回数をカウントすることで層数を判別できるので、ＳＬＩ（System Lead In）領域を読みに行く等の必要がなくなる。
【発明を実施するための最良の形態】
【０００８】
以下、この発明の実施の形態について図面を参照して詳細に説明する。
【０００９】
＜本発明の一実施形態である光ディスク装置の一例＞
本発明の一実施形態である光ディスク装置の一例を図面を用いて詳細に説明する。図１は、本発明の一実施形態に係る光ディスク装置の構成の一例を示すブロック図である。光ディスクＤは、ユーザデータを記録可能な光ディスク又は読出し専用の光ディスクである。
【００１０】
光ディスクＤの表面にはスパイラル状にランドトラックおよびグループトラックが形成されており、この光ディスクＤはスピンドルモータ３の回転軸に設けられた図示しないディスクテーブルに載置固定されて、ディスクモータ制御回路４の制御の基に前記スピンドルモータ３によって回転駆動される。
【００１１】
光ディスクＤに対する情報の記録、再生は、光ピックアップ５によって行われる。光ピックアップ５は、スレッドモータ６とギア部８を介して連結されており、このスレッドモータ６はスレッドモータ制御回路９により制御される。
【００１２】
スレッドモータ制御回路９に速度検出器７が接続され、この速度検出器７により検出される光ピックアップ５の速度信号がスレッドモータ制御回路９に送られる。スレッドモータ６の固定部に、図示しない永久磁石が設けられており、駆動コイルがスレッドモータ制御回路９によって励磁されることにより、光ピックアップ５が光ディスクＤの半径方向に駆動する。
【００１３】
光ピックアップ５には、図示しないワイヤ又は板バネによって支持された対物レンズ１０が設けられる。対物レンズ１０は、フォーカシング駆動コイル１１の駆動によりフォーカシング方向（レンズの光軸方向）への移動が可能で、また駆動コイル１２の駆動によりトラッキング方向（レンズの光軸と直交する方向）への移動が可能である。
【００１４】
変調回路１４は情報記録時にホスト装置３６からインターフェース回路３５を介して供給されるユーザを８−１４変調（ＥＦＭ）し、変調されたデータを提供する。レーザ制御回路１３は、情報記録時（マーク形成時）に、変調回路１４から供給されるＥＦＭデータに基づいて書き込み用信号を半導体レーザダイオード信号より小さい読取り用信号を半導体レーザダイオード１５，１６，１７に供給する。ここで、半導体レーザダイオード１５は、ＣＤ用レーザの発光素子、半導体レーザダイオード１６は、ＤＶＤ用赤色レーザの発光素子、半導体レーザダイオード１７は、ＨＤ ＤＶＤ用青色レーザの発光素子である。
【００１５】
半導体レーザダイオード１５，１６，１７は、レーザ制御回路１３から供給される信号に応じてレーザ光を発生する。半導体レーザダイオードから発せられるレーザ光は、光学部１８、対物レンズ１０を介して光ディスクＤ上に照射される。光ディスクＤからの反射光は、対物レンズ１０、光学部１８を介して、ＲＦ検出部２５に供給される。ＲＦ検出部２５では、出力信号の差に応じた、フォーカスエラー信号ＦＥを出力する。この出力は、フォーカシング制御回路２６に供給される。フォーカシング制御回路２６の出力信号は，フォーカシング駆動コイル１１に供給される。これにより、レーザ光が光ディスクＤの記録膜上に常時ジャストフォーカスとなる制御がなされる。
【００１６】
更に、ＲＦ検出部２５は、出力信号の差に応じたトラッキングエラー信号ＴＥを出力する。この出力はトラッキング制御回路２８に供給される。トラッキング制御回路２８は、トラッキングエラー信号に応じてトラッキング駆動信号を生成する。
【００１７】
トラッキング制御回路２８から出力されるトラック駆動信号は、前記対物レンズ１０をトラッキング方向に駆動するための駆動コイル１２に供給される。また、トラッキング制御回路２８で用いられるトラッキングエラー信号が、スレッドモータ制御回路９に供給される。
【００１８】
上記のフォーカシング制御およびトラッキング制御がなされることで、ＲＦ検出部２５からの出力和信号ＲＦは、記録情報に変化が反映される。この信号は、データ再生回路２９に供給される。
【００１９】
データ再生回路２９は、ＰＬＬ回路１９からの再生用クロック信号に基づき、記録データを再生する。また、データ再生回路２９は信号ＲＦの振幅を測定する機能を有し、該測定値はＣＰＵを含む制御部３１によって読み出される。
【００２０】
トラッキング制御回路２８によって対物レンズ１０が制御されているとき、スレッドモータ制御回路９により対物レンズ１０が光ピックアップ５内の中心位置近傍に位置するようにスレッドモータ６、つまり光ピックアップ５が制御される。
【００２１】
光ディスクモータ制御回路４、スレッドモータ制御回路９、変調回路１４，レーザ制御回路１３、ＰＬＬ回路１９、データ再生回路２９、フォーカシング制御回路２６、トラッキング制御回路２８等は，サーボ制御回路としての１つのＬＳＩチップ内に構成することができ、またこれら回路は、バス３０を介して制御部３１によって制御される。制御部３１はインターフェース回路３５を介してホスト装置３６から供給される動作コマンドに従って、この光ディスク記録再生装置を総合的に制御する。また、制御部３１は、ＲＡＭ３２を作業エリアとして使用し、ＲＯＭ３３に記録されたこの発明を含めたプログラムに従った所定の制御を行う。
【００２２】
＜本発明の一実施形態である光ディスク装置の光ディスク判定処理＞
次に上記の構成を有する光ディスク装置の光ディスク判定処理をフローチャート等を用いて詳細に説明する。図２は、本発明の一実施形態に係る光ディスク装置が扱う複数種類の光ディスクの構成の一例を説明する断面図である。図３は、本発明の一実施形態に係る光ディスク装置がＨＤ ＤＶＤ３層を検出する際のフォーカスエラー信号又はフォーカス和信号の波形の一例を示すグラフである。図４及び図５は、本発明の一実施形態に係る光ディスク装置の光ディスク判定処理の一例を示すフローチャートである。
【００２３】
なお、以下の図４、図５のフローチャートの各ステップは、回路ブロックに置き換えることができ、従って、各フローチャートのステップは、全てブロックに定義しなおすことが可能である。
【００２４】
この光ディスク判定処理は、光ディスクの厚さが標準と異なる場合や、ＰＵＨの波長のばらつきを補うために、それらを間接的に測定し、再生、記録性能に効果がある、フォーカスバランス（オフセット）、ＲＦイコライザー、トラッキングバランス（オフセット）などを、光ディスクの厚さに応じて変更して、再生、記録性能アップを行うことを趣旨としている。
【００２５】
・光ディスク判定処理の対象となる光ディスクの種類
初めに、光ディスク判定処理の対象となる光ディスクの種類を図面を用いて説明する。光ディスク判定処理の対象となる光ディスクＤは、図２に示すように、４種類の断面を有する光ディスクに分類できる。
【００２６】
すなわち、光ディスクＤ１は、記録層Ｌ１を有するＣＤ（Compact Disc）である。
【００２７】
光ディスクＤ２は、１層の記録層Ｌ２を有するＤＶＤ（Digital Versatile Disc）である。
【００２８】
光ディスクＤ３は、２層の記録層Ｌ３，Ｌ４を有する２層ＤＶＤ、又は、２層ＨＤ ＤＶＤである。
【００２９】
最後に、光ディスクＤ４は、３層の記録層Ｌ５，Ｌ６，Ｌ７を有する３層ＨＤ ＤＶＤ、又は、トリプルツインディスク（ＨＤ ＤＶＤ２層＋ＤＶＤ単層）である。
【００３０】
このトリプルツインディスクの場合、最下層がＤＶＤとなる。
【００３１】
（３層判定後、ＴＥによりＨＤ ＤＶＤ３層を検出する方法）
次に、本発明の一実施形態に係る光ディスク装置の光ディスク判定処理であって、３層判定後、ＴＥによりＨＤ ＤＶＤ３層を検出する方法を図４のフローチャートを用いて説明する。
【００３２】
ここでは、すなわち、制御部３１の３層検出部３１−２及びディスク判定部３１−３により、図３に示すように、フォーカスサーチを行った際にレーザー光の集光部（フォーカス部）が層を横切ったときに現れるフォーカスエラー信号又はフォーカス和信号をカウントして、これが３回連続することを検出することで、対象の光ディスクが３層光ディスクであると判断する。
【００３３】
以下、図４のフローチャートに沿って説明を行なうと、光ディスク装置１の制御部３１は、光ディスクが挿入されたことを検出すると、光ディスク判定処理を開始する。すなわち、制御部３１は、初めにＤＶＤ用赤色レーザの半導体レーザダイオード１６をオンする（ステップＳ１１）。そして、制御部３１のディスク判定部３１−３は、スレッドモータ６で制御される光ピックアップ５を用いて、光ディスクＤに対してフォーカスサーチを行なう（ステップＳ１２）。このフォーカスサーチの結果、記録層Ｌ１のフォーカス位置がＣＤのものであれば（ステップＳ１３）、制御部３１のディスク判定部３１−３は、光ディスクＤがＣＤであると判断して、ＣＤ用レーザの半導体レーザダイオード１５をオンする（ステップＳ１４）。
【００３４】
次に、制御部３１は、このフォーカスサーチの結果、記録層Ｌ１のフォーカス位置がＣＤのものでないと判断すれば、次に、３層検出部３１−２は、ＲＦ検出部２５からのフォーカスサーチを行った際のフォーカスエラー信号又はフォーカス和信号が層を横切った回数をカウントする。そして、３層検出部３１−２は、層を横切った回数が３回連続することを検出することで、対象の光ディスクが３層光ディスクであると判断する（ステップＳ１５）。
【００３５】
すなわち、３層検出部３１−２は、層を横切った回数が３回連続することを検出できなければ、光ディスクＤの最下層にフォーカスをオンする（ステップＳ１６）。そして、ディスク判定部３１−３は、トラッキングエラー信号ＴＥを検出し（ステップＳ１７）、これが閾値Ｙを越えていれば、光ディスクＤは、ＤＶＤであると判定して、ＤＶＤ用レーザの赤色発光素子である半導体レーザダイオード１６のオンを継続する（ステップＳ２２）。
【００３６】
しかし、ディスク判定部３１−３は、トラッキングエラー信号ＴＥが閾値Ｙを越えていなれば、光ディスクＤのシステムリードインのトラッキングエラー信号ＴＥを検出する（ステップＳ１９）。そして、ディスク判定部３１−３は、トラッキングエラー信号ＴＥが所定値Ｚを超えていれば、光ディスクＤは、ＨＤ ＤＶＤであると判定して、ＨＤ ＤＶＤ用レーザの半導体レーザダイオード１７をオンする（ステップＳ２１）。又、ディスク判定部３１−３は、トラッキングエラー信号ＴＥが所定値Ｚを超えていなければ、光ディスクＤは、ＤＶＤであると判定して、ＤＶＤ用レーザの赤色発光素子である半導体レーザダイオード１６のオンを継続する（ステップＳ２２）。
【００３７】
一方、制御部３１及び３層検出部３１−２は、ステップＳ１５で、層を横切った回数が３回連続することを検出できれば（ステップＳ１５）、光ディスクの下層からフォーカスをオンする（ステップＳ２３）。そして、制御部３１及び３層検出部３１−２は、トラッキングエラー信号ＴＥが、閾値Ｘを越えていなければ、光ディスクＤは、ＨＤ ＤＶＤ３層であると判定して、ＨＤ ＤＶＤイニシャル処理を行なうべく、ＨＤ ＤＶＤ用レーザの半導体レーザダイオード１７をオンする（ステップＳ２５）。
【００３８】
又、制御部３１及び３層検出部３１−２は、トラッキングエラー信号ＴＥが、閾値Ｘを越えていれば、光ディスクＤは、トリプルツインディスクであると判定して、トリプルツインディスクのイニシャル処理を行なうべく、ＨＤ ＤＶＤ用レーザの半導体レーザダイオード１７をオンする（ステップＳ２６）。
【００３９】
以上のように、この判定方法では、ＤＶＤレーザ点灯後、フォーカスサーチを行った際にフォーカスエラー信号やフォーカス和信号等が層を横切った回数をカウントし、３層光ディスクであるか判別する。３層光ディスクであった場合、最下層にフォーカスサーボをオン後、トラッキングエラー信号の大きさによりトリプルツインディスク（ＨＤ ＤＶＤ２層＋ＤＶＤ単層）かＨＤ ＤＶＤ３層光ディスクであるかを判別できる。これにより従来行っていた、光ディスク判定のためにＳＬＩ（System Lead In）領域を読みに行く等の工程が必要なくなるので、迅速な判定処理が可能となる。
【００４０】
（３層判定後、コントロールデータからＨＤ ＤＶＤ３層を検出する方法）
次に、本発明の一実施形態に係る光ディスク装置の光ディスク判定処理であって、３層判定後、コントロールデータからＨＤ ＤＶＤ３層を検出する方法を図５のフローチャートを用いて説明する。なお、図４と共通の記載は説明を省略し、層違個所だけの説明を行なう。
【００４１】
すなわち、図５のフローチャートに示された３層判定後のコントロールデータからＨＤ ＤＶＤ３層を検出する方法では、ステップＳ１５において、制御部３１及びディスク判定部３１−３は、層を横切った回数が３回連続することを検出することで、対象の光ディスクが３層光ディスクであると判断した後に、ＨＤ ＤＶＤ用レーザの半導体レーザダイオード１７をオンする（ステップＳ３１）。そして、制御部３１及びディスク判定部３１−３は、光ディスクＤの上層からフォーカスオンを行なう（ステップＳ３２）。
【００４２】
そして、制御部３１及びディスク判定部３１−３は、光ディスクＤのコントロールデータを読み出し、この光ディスクＤがＨＤ ＤＶＤ３層かトリプルツインディスクかを判断する（ステップＳ３３）。制御部３１及びディスク判定部３１−３は、その結果がＨＤ ＤＶＤ３層であると判断すれば、ＨＤ ＤＶＤ３層の処理を行なう（ステップＳ３５）。又、制御部３１及びディスク判定部３１−３は、その結果がトリプルツインディスクであると判断すれば、トリプルツインディスクの処理を行なう（ステップＳ３６）。
【００４３】
すなわち、この実施形態では、ＨＤ ＤＶＤ層のイニシャルを優先した例であり、３層光ディスクであることを認識後、ＨＤ ＤＶＤレーザに切替え、上層からフォーカスサーボオンして、ＨＤ ＤＶＤ層のコントロールデータを読み出すことで論理的にトリプルツインディスク（ＨＤ ＤＶＤ２層＋ＤＶＤ単層）かＨＤ ＤＶＤ３層光ディスクであるかの判別を行う。これにより、ＤＶＤレーザのトラッキングエラー信号によるトリプルツインディスクとＨＤ ＤＶＤ３層の判別工程を削減することができる。
【００４４】
以上、本発明の一実施形態によれば、従来行っていたＤＶＤレーザによるＨＤ ＤＶＤのＳＬＩ確認動作が不要となり、光ディスク認識時間を短縮することができる。
【００４５】
又、更に、トリプルツィンフォーマット光ディスクであった場合に、最下層がＤＶＤ層であるかの判別を省略でき、ＨＤ ＤＶＤ層の認識時間を短縮することができる。
【００４６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４７】
【図１】本発明の一実施形態に係る光ディスク装置の構成の一例を示すブロック図。
【図２】本発明の一実施形態に係る光ディスク装置が扱う複数種類の光ディスクの構成の一例を説明する断面図。
【図３】本発明の一実施形態に係る光ディスク装置がＨＤ ＤＶＤ３層を検出する際のフォーカスエラー信号又はフォーカス和信号の波形の一例を示すグラフ。
【図４】本発明の一実施形態に係る光ディスク装置の光ディスク判定処理の一例を示すフローチャート。
【図５】本発明の一実施形態に係る光ディスク装置の光ディスク判定処理の一例を示すフローチャート。
【符号の説明】
【００４８】
１…光ディスク装置、Ｄ…光ディスク、１１…光学ピックアップ、１２…フォーカシング駆動コイル、３１…制御部、３１−２…３層検出部、３１−３…ディスク判定部。
【図１】
2009059401.tif 000003
【図２】
2009059401.tif 000004
【図３】
2009059401.tif 000005
【図４】
2009059401.tif 000006
【図５】
2009059401.tif 000007